(57)【要約】【課題】光ピックアップ装置単体で受光領域に投影される受光スポットの偏倚により生じる光検出器の各受光出力の不均衡を補正して各受光出力を導出させることを課題とする。【解決手段】互いに直交する２つの分割線により４分割される受光領域２を備える光検出器１に、前記受光領域の各セグメントに対応して各アンプ３，４，５，６が設けられると共に、前記各アンプを介して光検出器１から各セグメントに対応した各受光出力を出力する各出力端子１１，１２，１３，１４が設けられ、かつ、前記各アンプのゲインを変化させて及び、あるいは前記各アンプの入力または出力をアッテネータにより減衰させて前記各出力端子からの各受光出力を設定する出力設定回路１５を設け、受光領域に投影される受光スポットの位置に基づいて前記各出力端子からの各受光出力に生じる出力差に応じて前記出力設定回路により前記各出力端子からの各受光出力を補正するようにしている。【選択図】図１
2011181175.tif 000002
【特許請求の範囲】
【請求項１】
レーザ光源から出射されるレーザ光を対物レンズに導き、この対物レンズによりレーザ光を収束させてディスクに照射すると共に、ディスクにより反射されて戻されたレーザ光を複数のセグメントにより構成される受光領域を備える光検出器に導く構成の光ピックアップ装置において、前記光検出器に前記受光領域の各セグメントに対応して各アンプが設けられると共に、各アンプを介して光検出器から各セグメントに対応した各受光出力を出力する各出力端子が設けられ、かつ、前記各アンプのゲインを変化させて及び、あるいは前記各アンプの入力または出力をアッテネータにより減衰させて前記各出力端子から出力される各受光出力を設定する出力設定回路を設け、前記受光領域に投影される受光スポットの位置に基づいて前記各出力端子からの各受光出力に生じる出力差に応じて前記出力設定回路により前記各出力端子からの各受光出力を補正することを特徴とする光ピックアップ装置における光検出器の受光出力制御装置。
【請求項２】
光ピックアップ装置に各出力端子からの各受光出力を設定する設定データを出力設定回路に供給する制御回路を設けると共に、前記出力設定回路により各出力端子からの各受光出力を設定する設定データを記憶するメモリ回路を設け、該メモリ回路に記憶される設定データに基づいて各出力端子から出力される各受光出力を補正することを特徴とする請求項１記載の光ピックアップ装置における光検出器の受光出力制御装置。
【請求項３】
前記制御回路を光検出器を構成する半導体集積回路に設け、前記制御回路によりメモリ回路に記憶される設定データを読み出してこの設定データを光検出器に転送するようにしたことを特徴とする請求項２記載の光ピックアップ装置における光検出器の受光出力制御装置。
【請求項４】
前記制御回路をメモリ回路を構成する半導体集積回路に設け、前記制御回路によりメモリ回路に記憶される設定データを読み出してこの設定データを光検出器に転送するようにしたことを特徴とする請求項２記載の光ピックアップ装置における光検出器の受光出力制御装置。
【請求項５】
ディスクに照射されるレーザ光をディスクの信号層に合焦させるフォーカス制御に非点収差法を採用している光ピックアップ装置において、前記メモリ回路には、光検出器の取付工程後に光検出器の各出力端子から出力される各受光出力を検査する検査工程時に取得される各受光出力に基づいて前記各出力端子から出力される各受光出力を調整する設定データが書き込まれていることを特徴とする請求項２記載の光ピックアップ装置における光検出器の受光出力制御装置。
【請求項６】
前記制御回路は電源電圧が印加される起動時にメモリ回路の設定データを読み出すと共に、その設定データに基づいて出力設定回路を制御し、光検出器の各出力端子から出力される各受光出力を設定することを特徴とする請求項２記載の光ピックアップ装置における光検出器の受光出力制御装置。
【請求項７】
ディスクにより反射されて戻されたレーザ光を互いに直交する２つの分割線により少なくとも４分割される受光領域を備える光検出器に導く構成の光ピックアップ装置において、ディスクに照射されるレーザ光がディスクの信号層に合焦されると判断されるフォーカスエラー信号が発生される状態で、前記受光領域の前記分割線により分割された４つの各セグメントから出力される各受光出力を少なくともトラッキング方向の直交方向に対応する分割線により２分される各領域ごとに加算した各加算信号の値が等しくなるように出力設定回路により光検出器の各出力端子から出力される各受光出力を設定することを特徴とする請求項１記載の光ピックアップ装置における光検出器の受光出力制御装置。
【請求項８】
ディスクにより反射されて戻されたレーザ光を互いに直交する２つの分割線により少なくとも４分割される受光領域を光検出器に備え、ディスクに照射されるレーザ光をディスクの信号層に合焦させるフォーカス制御に非点収差法を採用している光ピックアップ装置において、ディスクに照射するレーザ光の焦点を前後に移動させてその際にトラッキング方向の直交方向に対応する分割線により光検出器の受光領域を２分した各領域ごとに各出力端子から出力される各受光出力を加算した各加算信号の値のピークが等
しくなるように出力設定回路により各出力端子から出力される各受光出力を設定することを特徴とする請求項１記載の光ピックアップ装置における光検出器の受光出力制御装置。
【請求項９】
ディスクに照射するレーザ光の焦点を前後に移動させてその際にトラッキング方向に対応する分割線により光検出器の受光領域を２分した各領域ごとに各出力端子から出力される各受光出力を加算した各加算信号の値のピークが等しくなるように出力設定回路により各出力端子から出力される各受光出力を設定することを特徴とする請求項８記載の光ピックアップ装置における光検出器の受光出力制御装置。
【請求項１０】
前記各出力端子からの各受光出力に生じる出力差に応じて出力設定回路により光検出器の各出力端子から出力される各受光出力を設定する際に各受光出力を合算した全光量に対応する総受光出力を略一定に保持するべく前記各出力端子から出力される各受光出力を補正することを特徴とする請求項１記載の光ピックアップ装置における光検出器の受光出力制御装置。
【発明の詳細な説明】
【技術分野】
【０００１】
本発明は、ディスクにより反射されて戻されたレーザ光を複数のセグメントにより構成される受光領域を備える光検出器に導く構成の光ピックアップ装置における光検出器の受光出力制御装置に関し、特に、光検出器の受光領域に投影される受光スポットの位置ズレに伴って発生する光検出器から出力される各受光出力の出力差の対策を図った光ピックアップ装置における光検出器の受光出力制御装置に関する。
【背景技術】
【０００２】
ＣＤやＤＶＤ等の光ディスクに対してレーザ光を用いて光学的に信号の記録再生を行う光ピックアップ装置において、ディスクに照射されるレーザ光をディスクの信号層に合焦させるフォーカス制御は非点収差法及びその応用の差動非点収差法が主流となっている。
【０００３】
一方、ディスクに照射されるレーザ光をディスクの信号トラックに追従させるトラッキング制御には、ディスクの規格方式に対応させて３ビーム法、プッシュプル法、位相差法及びその応用のいずれかが採用されている。
【０００４】
記録再生のＣＤ各種及びＤＶＤ−ＲＯＭ、ＤＶＤ±Ｒ/ＲＷに対応した光ピックアップ装置は実例として、例えば、フォーカス制御方式は記録再生のＣＤ各種に非点収差法、記録再生のＤＶＤ各種に非点収差法の応用形の差動非点収差法を採用し、トラッキング制御方式はＤＶＤ−ＲＯＭに位相差法、ＤＶＤ±Ｒ/ＲＷ及びＣＤにプッシュプル法の応用形の差動プッシュプル法を採用する。
【０００５】
フォーカス制御の基本形及び応用形の非点収差法を採用する場合、ディスクからの反射レーザ光に非点収差を発生させるアナモフィックレンズや光軸に対して傾けて配置された平行平板などの非点収差発生光学系を備えると共に、非点収差の発生方向に対してそれぞれ４５°の角度を有する互いに直交する２つの分割線により４分割される受光領域を備える光検出器が用いられる。
【０００６】
一方、フォーカス制御方式の差動非点収差法、トラッキング制御方式の差動プッシュプル法あるいは３ビーム法は、ディスクに照射するレーザ光として３ビームを必要とするので、これらの方式を採用する光ピックアップ装置においては、周知の如く、半導体レーザから出射されるレーザ光を回折して０次光及び±１次回折光の３ビームに分離するべく回折格子を備えると共に、これら３ビームがディスクにより反射された３ビームの反射レーザ光をそれぞれ受光する３つの受光領域を備える光検出器が用いられる。
【０００７】
ところで、光ピックアップ装置の組立時において、光検出器は光ピックアップ装置の光学素子が設置される光学ハウジングに位置決めして取り付けられる。（特許文献１参照）
光検出器の位置決めは、光検出器の受光領域上に投影されるレーザスポットが正しく配置されるようにして受光領域を構成する各セグメントからそれぞれ適切な各受光出力が得られるように各受光出力を所定の演算により生成されるフォーカスエラー信号及びトラッキングエラー信号がそれぞれフォーカスサーボ及びトラッキングサーボに適切な対象性及び振幅を有するＳ字カーブ特性となるようにしており、また、ＤＶＤ記録ディスクやＣＤ記録ディスクに形成されるウォブル（wobble）から適切な振幅を有するウォブル信号が得られるようにしている。
【０００８】
しかしながら、光検出器を位置決めして光学ハウジングに取り付けても取付誤差や取付時の残留応力、あるいは使用する接着剤の塗布量の出力差や経時変化などの要因でレーザスポットが正しく光検出器の受光領域上に投影されなくなってしまい、フォーカスサーボ特性、トラッキングサーボ特性の悪化やウォブル信号の振幅低下を招く問題があった。
【０００９】
フォーカス制御の非点収差法を採用する光ピックアップ装置において、上記問題に対応するためにフォーカスエラー信号が「０」となる受光状態における４分割の受光領域における各受光出力を等しくするようにフォーカスエラー信号に関係する所定の受光出力のレベル調整を行って受光領域に投影される受光スポットの位置に基づくオフセットを補正するオフセット補正装置を用いることが知られている。（特許文献２参照）
【先行技術文献】
【特許文献】
【００１０】
【特許文献１】特開２００５−７１４５８号公報
【特許文献２】特開２００２−３２９２４号公報
【発明の概要】
【発明が解決しようとする課題】
【００１１】
ところで、上述の特許文献２に示されるオフセット補正装置は、フォーカスエラー信号を用い、光検出器の受光領域の各受光出力を演算してフォーカスエラー信号を生成するフォーカスエラー信号生成回路を含んだ構成を考慮している。前記フォーカスエラー信号生成回路は通常ディスクドライブ側に組み込まれ、フォーカスエラー信号生成回路を設置する装置に関して示していないので、前記オフセット補正装置は光ピックアップ装置単体で自己完結することを考慮していない。
【００１２】
その為、光ピックアップ装置をディスクドライブに組み込んだ状態でないと、４分割の受光領域における各受光出力のオフセット補正が行えず、一般に光ピックアップ装置とディスクドライブとを製造するメーカは独立しているので、実施し難い問題があった。
【００１３】
また、前記オフセット補正装置はフォーカスエラー信号を用いているので、フォーカスエラー信号を生成する４分割の受光領域の各対角上の各受光出力の不均衡を補正することが出来るが、４分割の受光領域の互いに直交する各分割線ごとに分けられる隣接する各受光出力の不均衡は必ずしも補正されない。
【００１４】
その為、フォーカスエラー信号を用いる方法で４分割の受光領域の各受光出力の不均衡を補正すると、ウォブル信号の振幅特性やトラッキング制御方式としてプッシュプル法及びその応用の差動プッシュプル法を採用した際のトラッキングサーボ特性を良好にする点で十分な効果が期待できない危惧がある。
【課題を解決するための手段】
【００１５】
請求項１に係る発明は、複数のセグメントにより構成される受光領域を備える光検出器に、前記受光領域の各セグメントに対応して各アンプが設けられると共に、各アンプを介して光検出器から各セグメントに対応した各受光出力を出力する各出力端子が設けられ、かつ、前記各アンプのゲインを変化させて及び、あるいは前記各アンプの入力または出力をアッテネータにより減衰させて前記各出力端子から出力される各受光出力を設定する出力設定回路を設け、前記受光領域に投影される受光スポットの位置に基づいて前記各出力端子からの各受光出力に生じる出力差に応じて前記出力設定回路により前記各出力端子からの各受光出力を補正するようにしている。これにより光ピックアップ装置単体で光検出器から各受光出力を補正して導出させる。
【００１６】
請求項２に係る発明は、光ピックアップ装置に各出力端子からの各受光出力を設定する設定データを出力設定回路に供給する制御回路を設けると共に、前記出力設定回路により各出力端子からの各受光出力を設定する設定データを記憶するメモリ回路を設け、該メモリ回路に記憶される設定データに基づいて各出力端子から出力される各受光出力を補正するようにしている。
【００１７】
請求項３に係る発明は、制御回路を光検出器を構成する半導体集積回路に設け、前記制御回路によりメモリ回路に記憶される設定データを読み出してこの設定データを光検出器に転送するようにしている。
【００１８】
請求項４に係る発明は、制御回路をメモリ回路を構成する半導体集積回路に設け、前記制御回路によりメモリ回路に記憶される設定データを読み出してこの設定データを光検出器に転送するようにしている。
【００１９】
請求項５に係る発明は、フォーカス制御に非点収差法を採用している光ピックアップ装置において、光検出器の取付工程後に受光領域の各セグメントから出力される各受光出力を検査する検査工程時に取得される各受光出力に基づいて前記各出力端子から出力される各受光出力を調整する設定データをメモリ回路に書き込んでおき、完成後の光ピックアップ装置においてその設定データを読み出すことにより前記各出力端子からの各受光出力を調整して光検出器から導出される各受光出力を補正する。
【００２０】
請求項６に係る発明は、電源電圧が印加される起動時にメモリ回路の設定データを読み出してこの設定データに基づいて出力設定回路を制御し、光検出器の各出力端子から出力される各受光出力を設定し、起動されると自動的に前記各出力端子から出力される各受光出力が補正されるようになっている。
【００２１】
請求項７に係る発明は、ディスクに照射されるレーザ光がディスクの信号層に合焦されると判断されるフォーカスエラー信号が発生される状態において、光検出器の受光領域の各セグメントから出力される各受光出力を少なくともトラッキング方向の直交方向に対応する分割線により２分される各領域ごとに加算した各加算信号の値が等しくなるように出力設定回路により光検出器の各出力端子から出力される各受光出力を設定する。これによりトラッキング方向の直交方向に対応する分割線により２分される各領域ごとの各受光出力の不均衡を補正するようにしている。
【００２２】
請求項８に係る発明は、ディスクに照射されるレーザ光をディスクの信号層に合焦させるフォーカス制御に非点収差法を採用している光ピックアップ装置において、ディスクに照射するレーザ光の焦点を前後に移動させてその際にトラッキング方向の直交方向に対応する分割線により光検出器の受光領域を２分した各領域ごとに各出力端子から出力される各受光出力を加算した各加算信号の値のピークが等しくなるように出力設定回路により各出力端子から出力される各受光出力を設定する。前記各加算信号のピーク値を用いてトラッキング方向の直交方向に対応する分割線により２分される各領域ごとの各受光出力の検出精度を向上させている。
【００２３】
請求項９に係る発明は、請求項８に係る発明に加えてディスクに照射するレーザ光の焦点を前後に移動させてその際にトラッキング方向に対応する分割線により光検出器の受光領域を２分した各領域ごとに各出力端子から出力される各受光出力を加算した各加算信号の値のピークが等しくなるように出力設定回路により各出力端子から出力される各受光出力を設定する。
【００２４】
請求項１０に係る発明は、各出力端子からの各受光出力に生じる出力差に応じて出力設定回路により光検出器の各出力端子から出力される各受光出力を設定する際に各受光出力を合算した全光量に対応する総受光出力を略一定に保持するべく前記各出力端子から出力される各受光出力を補正するようにしている。
【発明の効果】
【００２５】
請求項１に係る発明の光ピックアップ装置における光検出器の受光出力制御装置は、光検出器の受光領域に投影される受光スポットの位置に基づいて光検出器の各出力端子から出力される各受光出力を補正するので、光ピックアップ装置単体で受光領域に投影される受光スポットの偏倚により生じる光検出器の各受光出力の不均衡を補正して各受光出力を導出させることが出来る。
【００２６】
請求項２に係る発明に依れば、光ピックアップ装置に設けた制御回路によりメモリ回路に記憶される設定データを読み出してその設定データに基づいて光検出器の各出力端子から出力される各受光出力を設定するようにしているので、光ピックアップ装置ごとに対応させて光検出器の各受光出力を補正する設定データを記憶させておくことで、光ピックアップ装置単体で前記メモリ回路に記憶される設定データに基づいて光検出器から各受光出力を補正して導出させることが出来る。
【００２７】
請求項３及び４に係る発明に依れば、制御回路の回路規模を考慮して光検出器を構成する半導体集積回路、あるいはメモリ回路を構成する半導体集積回路に設けているので、制御回路のために別の半導体集積回路を必要とせず、光ピックアップ装置に設けるのに有利である。
【００２８】
請求項５に係る発明に依れば、検査工程時に取得される光検出器の各受光出力に基づいて光検出器の各受光出力を調整する設定データをメモリ回路に書き込んでいるので、完成後の光ピックアップ装置において検査工程時の精度により光検出器から導出される各受光出力の補正が行える。
【００２９】
請求項６に係る発明に依れば、起動時に自動的に光ピックアップ装置単体で光検出器の各出力端子から導出される各受光出力を補正することが出来る。
【００３０】
請求項７に係る発明に依れば、トラッキング方向の直交方向に対応する分割線により２分される各領域ごとの各受光出力の不均衡を補正することが出来、ウォブル信号の振幅特性を良好にすることが出来ると共に、トラッキング制御方式としてプッシュプル法及びその応用の差動プッシュプル法を採用した際のトラッキングサーボ特性を良好にすることが出来る。
【００３１】
請求項８に係る発明に依れば、光検出器の各受光出力をトラッキング方向の直交方向に対応する分割線により２分される各領域ごとに加算した各加算信号の値のピークが等しくなるようにしているので、トラッキング方向の直交方向に対応する分割線により２分される各領域ごとの各受光出力の検出精度が向上し、前記各領域ごとの各受光出力の不均衡を精度良く補正することが出来る。
【００３２】
請求項９に係る発明に依れば、光検出器の各受光出力をトラッキング方向に対応する分割線により２分される各領域ごとに加算した各加算信号の値のピークが等しくなるようにも各アンプのゲインを設定するので、光検出器の４分割受光領域の各セグメントに対応する全ての各受光出力の不均衡を補正することが出来る。
【００３３】
請求項１０に係る発明に依れば、各受光出力を合算した全光量に対応する総受光出力を略一定に保持するべく前記各出力端子から出力される各受光出力を補正するので、各受光出力のＳ／Ｎ及びマージンの両方を適切に確保することが出来る。
【図面の簡単な説明】
【００３４】
【図１】本発明に係る光ピックアップ装置における光検出器の受光出力制御装置の一実施例を示す回路ブロック図である。
【図２】光検出器の受光領域及びディスク上での光スポット配置を示し、フォーカス制御方式及びトラッキング制御方式を説明するための説明図である。
【図３】ＰＤＩＣ内の１つのセグメントに対する電流・電圧変換アンプ及び後段アンプの一例を示す回路図である。
【図４】各電流・電圧変換アンプの出力をアッテネータにより減衰量を変化させて光検出器の各出力端子からの各受光出力を補正する方法を説明する回路図である。
【発明を実施するための形態】
【００３５】
図１は本発明に係る光ピックアップ装置における光検出器の受光出力制御装置の一実施例を示す回路ブロック図である。
【００３６】
図２はフォーカス制御方式及びトラッキング制御方式を説明するための説明図である。図２は、ＤＶＤ−ＲＯＭに位相差法、ＤＶＤ±Ｒ/ＲＷ及びＣＤに差動プッシュプル法のトラッキング制御方式を採用し、記録再生のＣＤ各種に非点収差法、記録再生のＤＶＤ各種に差動非点収差法のフォーカス制御方式を採用した光ピックアップ装置に対応した受光領域、及び光ピックアップ装置からディスク上に照射されるレーザ光の光スポットの配置を示している。
【００３７】
要旨に関係しないので図示しないが、光ピックアップ装置の光源であるレーザダイオードから出射されるレーザ光は、回折格子により０次回折レーザ光（メインビーム）及び±１次回折レーザ光（前方サブビーム、後方サブビーム）に回折されて３ビームに分割される。この３ビームは所定光学系を通って対物レンズに導かれ対物レンズにより収束されてディスクに照射される。
【００３８】
ディスクによって反射された３ビームは、対物レンズに戻り光路途中で往路と相違する光路に分離されて光検出器に導かれる。
【００３９】
ディスクに照射される３ビームは、図２に示す如く、０次回折レーザ光のメインスポットＳｍが信号トラック上の中央に配置され、±１次回折レーザ光の各サブスポットＳｓ１，Ｓｓ２はそれぞれメインスポットがオントラックされる信号トラックとそれぞれ異なる方向の隣接信号トラックとの中央に配置される。
【００４０】
光検出器の受光面には互いに直交する２つの分割線により十字状に４分割されてそれぞれ４つのセグメントにより構成されるメイン受光領域Ａｍ、サブ受光領域Ａｓ１及びＡｓ２が３つ縦に並べて配置され、メイン受光領域Ａｍ、サブ受光領域Ａｓ１及びＡｓ２にはディスクにより反射された０次回折レーザ光、＋１次回折レーザ光、−１次回折レーザ光のそれぞれの反射レーザ光が受光されるようになっている。
【００４１】
ここで、フォーカス制御にＣＤで基本形及びＤＶＤで非点収差法の応用形を採用しているので、光検出器には非点収差発生光学系により非点収差が付与されたレーザ光が受光され、光検出器のメイン受光領域Ａｍの分割線Ｌｘ，Ｌｙ、サブ受光領域Ａｓ１及びＡｓ２のそれぞれの分割線Ｌｘ１，Ｌｙ１及びＬｘ２，Ｌｙ２は受光されるレーザ光の非点収差の発生方向に対してそれぞれ４５°の角度となっている。
【００４２】
また、メイン受光領域Ａｍの分割線Ｌｙ、サブ受光領域Ａｓ１及びＡｓ２のそれぞれの分割線Ｌｙ１及びＬｙ２は、採用するトラッキング制御方式を考慮して光検出器上に投影されるディスクの信号トラック方向に設定されている。
【００４３】
メイン受光領域Ａｍ、サブ受光領域Ａｓ１及びＡｓ２を構成する各セグメントから得られる各受光出力をそれぞれａ，ｂ，ｃ，ｄ，ｅ，ｆ，ｇ，ｈ，ｉ，ｊ，ｋ，ｌとすると、ＤＶＤ−ＲＯＭの再生のトラッキング制御に採用される位相差法は、メイン受光領域Ａｍの各対角方向のセグメントの受光出力をそれぞれ加算した各和信号（ａ＋ｃ），（ｂ＋ｄ）の位相差を検出するか、あるいはメイン受光領域Ａｍの信号トラック方向の分割線Ｌｘに分割された隣り合う所定の２つのセグメントの受光出力ａ，ｄあるいはｂ，ｃの位相差を検出してトラッキングエラー信号を得る。
【００４４】
ＤＶＤ±Ｒ/ＲＷの記録及びＣＤの記録再生のトラッキング制御に採用される差動プッシュプル法は、メイン受光領域Ａｍの信号トラック方向の分割線Ｌｘに分割されたそれぞれ２つのセグメントごとの各受光出力をそれぞれ加算した各和信号同士の差信号であるメインプッシュプル信号を演算し、サブ受光領域Ａｓ１及びＡｓ２のそれぞれにおいて信号トラック方向の分割線Ｌｘ１及びＬｘ２に分割されたそれぞれ２つのセグメントごとの各受光出力をそれぞれ加算した各和信号同士の差信号であるサブプッシュプル信号をサブ受光領域Ａｓ１及びＡｓ２ごとに第１、第２のサブプッシュプル信号として演算し、この第１、第２のサブプッシュプル信号を合成した合成サブプッシュプル信号をメインプッシュプル信号に合わせてゲイン（Ｇ１）調整し、これらのプッシュプル信号の差分を演算して演算式ａ−ｂ−ｃ＋ｄ−Ｇ１（ｅ−ｆ−ｇ＋ｈ＋ｉ−ｊ−ｋ＋ｌ）のトラッキングエラー信号を得る。
【００４５】
記録再生のＣＤ各種のフォーカス制御に採用される非点収差法は、メイン受光領域Ａｍの各セグメントの各受光出力をそれぞれ対角線上に配置されるセグメントごとにそれぞれ加算して２つの和信号を得、この各和信号同士の差信号を演算した演算式ａ＋ｃ−（ｂ＋ｄ）のメイン非点収差信号となるフォーカスエラー信号を得る。
【００４６】
記録再生のＤＶＤ各種のフォーカス制御に採用される差動非点収差法は、各サブ受光領域Ａｓ１及びＡｓ２においても上記非点収差法におけるメイン受光領域Ａｍの場合と同様にして得られる各サブ受光領域Ａｓ１及びＡｓ２ごとの各サブ非点収差信号をメイン非点収差信号に合わせてゲイン（Ｇ２）調整してメイン非点収差信号に加算するべく演算式ａ＋ｃ−（ｂ＋ｄ）＋Ｇ２（ｅ−ｆ＋ｇ−ｈ＋ｉ−ｊ＋ｋ−ｌ）によってフォーカスエラー信号を得る。
【００４７】
次に、図１を用いて本発明に係る光ピックアップ装置における光検出器の受光出力制御装置を説明する。
【００４８】
図１に示す光検出器１の受光領域２は図２のメイン受光領域Ａｍに相当し、受光領域２の各セグメントＡ，Ｂ，Ｃ，Ｄはそれぞれ受光されるレーザ光の受光量に応じて各受光出力ａ，ｂ，ｃ，ｄを発生する。
【００４９】
光検出器１は半導体集積回路である、いわゆるＰＤＩＣ（Photo detector integrated circuit）により構成され、光ピックアップ装置の対物レンズを除く光学素子が組み込まれる光学ハウジングに取り付けられる。
【００５０】
光検出器１は、受光領域２の各セグメントＡ，Ｂ，Ｃ，Ｄからの各受光出力ａ，ｂ，ｃ，ｄをそれぞれ電流信号から電圧信号に変換すると共に増幅する各電流・電圧変換アンプ３，４，５，６と、各電流・電圧変換アンプ３，４，５，６により電圧信号に変換された各受光出力ａ，ｂ，ｃ，ｄをそれぞれ増幅して各出力端子１１，１２，１３，１４から導出する各後段アンプ７，８，９，１０とを備える。
【００５１】
前記各電流・電圧変換アンプ３，４，５，６は、それぞれ抵抗値の相違する複数の帰還抵抗を切り換えることにより選択的にゲインが独立して調整可能になっており、前記各電流・電圧変換アンプ３，４，５，６の各ゲインは、光検出器１を構成するＰＤＩＣ内に備える出力設定回路１５により使用する帰還抵抗を選択して設定されるようになっている。
【００５２】
図３はＰＤＩＣ内の１つのセグメントに対する電流・電圧変換アンプ及び後段アンプの一例を示す回路図である。この例においては、１つのセグメント３１に対して２系統の電流・電圧変換アンプ３２，３３が設けられ、ディスク種別や記録と再生のモード種別によってスイッチ回路３４により選択的に所定の１系統の電流・電圧変換アンプが使用されるようになっている。そして、各系統の電流・電圧変換アンプ３２及び３３にそれぞれ複数の帰還抵抗３５ａ，３５ｂ，３５ｃ…３５（ｎ−１），３５ｎ及び３６ａ…３６ｍが接続され、出力設定回路１５により設定されるゲインに応じてスイッチ回路により所定の帰還抵抗が選択される。
【００５３】
また、後段アンプ３７も複数の帰還抵抗３８ａ，３８ｂ，３８ｃ…３８（ｌ−１），３８ｌのうち、選択的に所定の帰還抵抗が接続されるようになっており、受光領域２の各セグメントＡ，Ｂ，Ｃ，Ｄに対応する各出力端子からの各受光出力ごとに所定の帰還抵抗を選択することにより電流・電圧変換アンプでゲインを補正する以前の初期状態での前記各受光出力のばらつきを補正する。
【００５４】
電流・電圧変換アンプでのゲイン補正が初期状態での各受光出力のばらつき補正と独立しているため、電流・電圧変換アンプでのゲイン補正が容易となる。
【００５５】
ところで、光ピックアップ装置には光検出器１に接続されるフラッシュメモリ１６が備えられ、該フラッシュメモリ１６を構成する半導体集積回路内に出力設定回路１５により各出力端子からの各受光出力を設定する設定データの入出力を制御する制御回路１７を備えている。すなわち、該フラッシュメモリ１６はデータを記憶するメモリ部１６ａと制御回路１７を備えている。
【００５６】
前記フラッシュメモリ１６のメモリ部１６ａに記憶された設定データは、制御回路１７により読み出されてこの設定データに応じて出力設定回路１５により各電流・電圧変換アンプ３，４，５，６の各ゲインが設定されて光検出器１の各出力端子１１，１２，１３，１４から出力される各受光出力が設定される。
【００５７】
制御回路１７は電源電圧が印加される起動時にフラッシュメモリ１６から設定データを読み込んでこの設定データに基づいて各電流・電圧変換アンプ３，４，５，６のゲインを設定する。
【００５８】
一方、前記制御回路１７はフラッシュメモリ１６から設定データが読み込めない場合、各電流・電圧変換アンプ３，４，５，６のゲインを初期設定とする。この初期設定は、例えば各電流・電圧変換アンプ３，４，５，６のゲインを受光領域の全セグメントとも調整可能範囲の中間である０ｄＢになる。
【００５９】
フラッシュメモリ１６に書き込まれる設定データは、光検出器１を光ピックアップ装置の光学ハウジングに対して光軸と直交する方向に位置調整して取り付ける取付工程の後、光ピックアップ装置を構成する部材の材質や各部品を接着する接着剤の特性に応じた加熱処理して残留応力を緩和するためのアニール工程後に、ディスクに照射するレーザ光の焦点を前後に移動させてその際に光検出器１の各出力端子１１，１２，１３，１４から出力される各受光出力を検査する工場出荷前の検査工程時に取得される各受光出力に基づいて前記各出力端子１１，１２，１３，１４から出力される各受光出力を調整する設定データが書き込まれる。
【００６０】
前記光検出器１の位置調整は、ディスクの合焦時に光検出器１の受光領域上に投影されるレーザスポットが正しく配置されるようにして各セグメントに対応する各出力端子１１，１２，１３，１４からの各受光出力が一致するように行われる。
【００６１】
光検出器１の各出力端子１１，１２，１３，１４から出力される各受光出力を検査する検査工程時に取得される各受光出力は、例えば、図示の出力差検出回路２４により演算される。出力差検出回路２４は出力端子１１及び１２からそれぞれ出力されるセグメントＡ及びＢに対応する受光出力ａ及びｂを加算して第１加算信号（ａ＋ｂ）を得る第１加算アンプ１８と、出力端子１３及び１４からそれぞれ出力されるセグメントＣ及びＤに対応する受光出力ｃ及びｄを加算して第２加算信号（ｃ＋ｄ）を得る第２加算アンプ１９と、前記第１加算信号（ａ＋ｂ）と前記第２加算信号（ｃ＋ｄ）との第１差分信号｛（ａ＋ｂ）−（ｃ＋ｄ）｝を得る第１減算アンプ２０と、出力端子１１及び１４からそれぞれ出力されるセグメントＡ及びＤに対応する受光出力ａ及びｄを加算して第３加算信号（ａ＋ｄ）を得る第３加算アンプ２１と、出力端子１２及び１３からそれぞれ出力されるセグメントＢ及びＣに対応する受光出力ｂ及びｃを加算して第４加算信号（ｂ＋ｃ）を得る第４加算アンプ２２と、前記第３加算信号（ａ＋ｄ）と前記第４加算信号（ｂ＋ｃ）との第２差分信号｛（ａ＋ｄ）−（ｂ＋ｃ）｝を得る第２減算アンプ２３とから構成される。
【００６２】
すなわち、出力差検出回路２４は受光領域２をトラッキング方向の直交方向に対応する分割線Ｌｘにより前記受光領域２が２分される一方の領域の各セグメントＡ，Ｂから出力される各受光出力ａ，ｂ及びもう一方の領域の各セグメントＣ，Ｄから出力される各受光出力ｃ，ｄを前記各領域ごとに加算した各加算信号（ａ＋ｂ），（ｃ＋ｄ）を演算し、更にこの各加算信号の電圧差である第１差分信号｛（ａ＋ｂ）−（ｃ＋ｄ）｝を演算して受光領域２の分割線Ｌｘで２分されるＹ方向（信号トラック方向）に並ぶ各領域での受光出力差を検出し、受光スポットのＹ方向の出力差を検出する。
【００６３】
また、出力差検出回路２４は受光領域２をトラッキング方向に対応する分割線Ｌｙにより前記受光領域２が２分される一方の領域の各セグメントＡ，Ｄから出力される各受光出力ａ，ｄ及びもう一方の領域の各セグメントＢ，Ｃから出力される各受光出力ｂ，ｃを前記各領域ごとに加算した各加算信号（ａ＋ｄ），（ｂ＋ｃ）を演算し、更にこの各加算信号の電圧差である第２差分信号｛（ａ＋ｄ）−（ｂ＋ｃ）｝を演算して受光領域２の分割線Ｌｙで２分されるＸ方向（トラッキング方向）に並ぶ各領域での受光出力差を検出し、受光スポットのＸ方向の出力差を検出する。
【００６４】
出力差検出回路２４により演算された受光領域２のＹ方向の受光出力差である第１減算アンプ２０からの第１差分信号｛（ａ＋ｂ）−（ｃ＋ｄ）｝、及び受光領域２のＸ方向の受光出力差である第２減算アンプ２３からの第２差分信号｛（ａ＋ｄ）−（ｂ＋ｃ）｝はそれぞれ設定データ生成回路２５により供給され、該設定データ生成回路２５は第１差分信号｛（ａ＋ｂ）−（ｃ＋ｄ）｝及び第２差分信号｛（ａ＋ｄ）−（ｂ＋ｃ）｝を「０」にするように出力設定回路１５を制御する設定データを生成する。
【００６５】
すなわち、第１差分信号｛（ａ＋ｂ）−（ｃ＋ｄ）｝の極性及び電圧値により受光領域２に受光される受光スポットのＹ方向における位置ズレの方向及び距離の度合いが分かるので、設定データ生成回路２５は第１差分信号｛（ａ＋ｂ）−（ｃ＋ｄ）｝の極性及び電圧値に応じて設定データを生成し、出力設定回路１５はこの設定データに基づいて受光スポットのＹ方向における位置ズレに関係するセグメントＡ，Ｂから出力される各受光出力ａ，ｂを増幅する各電流・電圧変換アンプ３，４とセグメントＣ，Ｄから出力される各受光出力ｃ，ｄを増幅する各電流・電圧変換アンプ５，６とのゲインを相対的に調整して第１差分信号｛（ａ＋ｂ）−（ｃ＋ｄ）｝を「０」にする。
【００６６】
また、第２差分信号｛（ａ＋ｄ）−（ｂ＋ｃ）｝の極性及び電圧値により受光領域２に受光される受光スポットのＸ方向における位置ズレの方向及び距離の度合いが分かるので、設定データ生成回路２５は第２差分信号｛（ａ＋ｄ）−（ｂ＋ｃ）｝の極性及び電圧値に応じて設定データを生成し、出力設定回路１５はこの設定データに基づいて受光スポットのＸ方向における位置ズレに関係するセグメントＡ，Ｄから出力される各受光出力ａ，ｄを増幅する各電流・電圧変換アンプ３，６とセグメントＢ，Ｃから出力される各受光出力ｂ，ｃを増幅する各電流・電圧変換アンプ４，５とのゲインを相対的に調整して第２差分信号｛（ａ＋ｄ）−（ｂ＋ｃ）｝を「０」にする。
【００６７】
このように第１差分信号｛（ａ＋ｂ）−（ｃ＋ｄ）｝及び第２差分信号｛（ａ＋ｄ）−（ｂ＋ｃ）｝を「０」にする場合、設定データ生成回路２５により生成される設定データに応じて出力設定回路１５により前記各出力端子１１，１２，１３，１４から出力される各受光出力ａ，ｂ，ｃ，ｄを合算した全光量に対応する総受光出力（ａ＋ｂ＋ｃ＋ｄ）を略一定に保持するべく比較対象の受光出力が小さいセグメントに対応するアンプのゲインが上げるように調整されると共に、比較対象の受光出力が大きいセグメントに対応するアンプのゲインが下げるように調整され、前記各受光出力ａ，ｂ，ｃ，ｄを補正する。
【００６８】
第１差分信号｛（ａ＋ｂ）−（ｃ＋ｄ）｝及び第２差分信号｛（ａ＋ｄ）−（ｂ＋ｃ）｝を共に「０」にすることにより受光領域２の分割線Ｌｘで２分されるＹ方向（信号トラック方向）の出力差、及び受光領域２の分割線Ｌｙで２分されるＸ方向（トラッキング方向）の出力差をそれぞれ解消することができ、受光領域２上での受光スポットのＹ方向及びＸ方向の偏倚による影響が解消されて光検出器１の各出力端子１１，１２，１３，１４からの各受光出力ａ，ｂ，ｃ，ｄが均等になる。
【００６９】
この場合、第１差分信号｛（ａ＋ｂ）−（ｃ＋ｄ）｝及び第２差分信号｛（ａ＋ｄ）−（ｂ＋ｃ）｝を共に「０」にしているが、これらの差分信号の所定の一方を「０」にするだけでも効果がある。特に、第１差分信号｛（ａ＋ｂ）−（ｃ＋ｄ）｝を「０」にすると、Ｙ方向（信号トラック方向）の出力差が解消されるので、トラッキングサーボ特性の向上及びウォブル信号の検出に効果がある。
【００７０】
また、設定データ生成回路２５により生成される設定データをフラッシュメモリ１６を介さずに出力設定回路１５に直接供給する場合、データ書き込み制御回路２６は光ピックアップ装置の直接制御端子２７ａに直接供給を可能にするアクティブ電圧を印加すると共に、データ端子２７ｂに設定データを、クロック端子２７ｃに設定データを同期させる基準のクロックをそれぞれ供給する。
【００７１】
一方、設定データ生成回路２５により生成される設定データをフラッシュメモリ１６に書き込む場合、データ書き込み制御回路２６は光ピックアップ装置のモード端子２７ｄにフラッシュメモリ１６の書き込み可能にする所定電圧を印加すると共に、データ端子２７ｂに設定データを、クロック端子２７ｃに設定データを同期させる基準のクロックをそれぞれ供給する。ここで、前記モード端子２７ｄにはフラッシュメモリ１６の動作モードを切り替える３値の電圧が印加されるようになっており、高電圧（１２Ｖ）の場合にフラッシュメモリ１６に設定データを書き込む書き込みモードとなり、中電圧（５Ｖ）の場合にフラッシュメモリ１６に記憶されている設定データを確認するなどのために読み出す読み出しモードとなり、低電圧（０Ｖ）の場合にフラッシュメモリ１６の動作を停止させてパワーセーブを行う動作停止モードとなる。
【００７２】
ところで、第１差分信号｛（ａ＋ｂ）−（ｃ＋ｄ）｝及び第２差分信号｛（ａ＋ｄ）−（ｂ＋ｃ）｝を「０」にする調整は、光ピックアップ装置からディスクに照射されるレーザ光がディスクに合焦している状態であるフォーカスエラー信号｛（ａ＋ｃ）−（ｂ＋ｄ）｝が「０」の状態で行われる。
【００７３】
光検出器１の受光領域２の受光スポットの偏倚が発生して各出力端子１１，１２，１３，１４からの各受光出力ａ，ｂ，ｃ，ｄが等しくない状態でフォーカスエラー信号｛（ａ＋ｃ）−（ｂ＋ｄ）｝を「０」としてもレーザ光がディスクに正確に合焦していないと判断されるので、第１差分信号｛（ａ＋ｂ）−（ｃ＋ｄ）｝及び第２差分信号｛（ａ＋ｄ）−（ｂ＋ｃ）｝を共に「０」にしても受光領域２上での受光スポットの偏倚により影響を受けて各受光出力ａ，ｂ，ｃ，ｄを等しくするのに不十分であることが考えられる。
【００７４】
そこで、ディスクに照射するレーザ光の焦点を前後に移動させてその際のフォーカスエラー信号のピークとボトムとの平均値をレーザ光がディスクに合焦している状態であると判断して前記平均値にレーザ光の焦点を固定して第１差分信号｛（ａ＋ｂ）−（ｃ＋ｄ）｝及びあるいは第２差分信号｛（ａ＋ｄ）−（ｂ＋ｃ）｝を「０」にする調整を行う。このようにすることにより光検出器１の受光領域２の受光スポットの偏倚の影響を軽減できる。
【００７５】
フォーカスエラー信号のピークとボトムとの平均値をレーザ光がディスクに合焦している状態であると判断する応用としては、光検出器１から導出される受光領域２の各セグメントに対応する各受光出力ａ，ｂ，ｃ，ｄを合算したレーザ光の全光量信号（ａ＋ｂ＋ｃ＋ｄ）により第１差分信号｛（ａ＋ｂ）−（ｃ＋ｄ）｝及びあるいは第２差分信号｛（ａ＋ｄ）−（ｂ＋ｃ）｝をそれぞれ除算して第１差分信号の割合を示す割合信号｛（ａ＋ｂ）−（ｃ＋ｄ）｝／（ａ＋ｂ＋ｃ＋ｄ）及びあるいは第２差分信号の割合を示す割合信号｛（ａ＋ｄ）−（ｂ＋ｃ）｝／（ａ＋ｂ＋ｃ＋ｄ）を用いる。これらの割合信号を用いることによりディスクに照射するレーザ光の焦点を前後に移動することで受光領域２の受光されるレーザ光の全光量が変動する影響を受けにくくなる。
【００７６】
また、ディスクに照射するレーザ光の焦点を前後に移動させてその際に出力差検出回路２４の第１差分信号｛（ａ＋ｂ）−（ｃ＋ｄ）｝を得る過程で演算される加算信号（ａ＋ｂ）と加算信号（ｃ＋ｄ）との値のピークを等しくするように、及びあるいは第２差分信号｛（ａ＋ｄ）−（ｂ＋ｃ）｝を得る過程で演算される加算信号（ａ＋ｄ）と加算信号（ｂ＋ｃ）との値のピークを等しくすることは、受光領域２上での受光スポットの偏倚によりフォーカスエラー信号｛（ａ＋ｃ）−（ｂ＋ｄ）｝＝「０」とディスクへのレーザ光の合焦点との誤差による影響を受けないようにして第１差分信号｛（ａ＋ｂ）−（ｃ＋ｄ）｝及びあるいは第２差分信号｛（ａ＋ｄ）−（ｂ＋ｃ）｝を「０」にする調整のと同等であり、受光スポットの偏倚により各受光出力ａ，ｂ，ｃ，ｄが等しくならないことによる悪影響を軽減するのに有効である。
【００７７】
前述の種々の方法により受光領域２上での受光スポットの偏倚に起因して光検出器１の各出力端子１１，１２，１３，１４から出力される各受光出力ａ，ｂ，ｃ，ｄの出力差は、出力差検出回路２４により出力差信号として検出される。設定データ生成回路２５はこの出力差信号に基づいて出力設定回路１５を制御する設定データを生成し、データ書き込み制御回路２６は選択的にモード端子２７ｄに高電圧を印加してフラッシュメモリ１６を書き込みモードとし、設定データ生成回路２５により生成された設定データをフラッシュメモリ１６に転送し書き込む制御を行う。また、データ書き込み制御回路２６は選択的に直接制御端子２７ａに所定電圧を印加して設定データ生成回路２５により生成された設定データを光検出器１に直接転送し、その設定データを入出力制御回路２８を介して出力設定回路１５に供給する。
【００７８】
設定データ生成回路２５により生成された設定データが直接、あるいはフラッシュメモリ１６に書き込まれた後に読み出されて入出力制御回路２８を介して出力設定回路１５に転送されると、出力設定回路１５は設定データに応じて各電流・電圧変換アンプ３，４，５，６の対象となるアンプのゲインを設定する。
【００７９】
ここで、設定データ生成回路２５は、出力差信号を「０」にするように出力差信号の極性及び電圧レベルに応じて各電流・電圧変換アンプ３，４，５，６の対象となるアンプのゲインを調整する調整値を算出すると共に、この調整値に基づいて各電流・電圧変換アンプ３，４，５，６の対象となるアンプのゲインを設定する設定データを生成する。そして、設定データ生成回路２５は各出力端子１１，１２，１３，１４から出力される各受光出力ａ，ｂ，ｃ，ｄを合算した全光量に対応する総受光出力（ａ＋ｂ＋ｃ＋ｄ）を略一定に保持して前記各受光出力ａ，ｂ，ｃ，ｄが補正されるべく各電流・電圧変換アンプ３，４，５，６のゲインを設定する設定データを生成する。その為、出力設定回路１５が設定データに応じて各電流・電圧変換アンプ３，４，５，６のゲインを設定することにより、出力差検出回路２４により検出される出力差信号は等価的に「０」になり、この場合の各出力端子１１，１２，１３，１４から出力される各受光出力ａ，ｂ，ｃ，ｄを合算した全光量に対応する総受光出力（ａ＋ｂ＋ｃ＋ｄ）は補正前と補正後で略一定に保持される。
【００８０】
尚、出力設定回路１５による１度のアンプゲインの設定により出力差信号を等価的に「０」にすることが出来ない場合、設定データ生成回路２５は各電流・電圧変換アンプ３，４，５，６のゲイン設定を変える設定データを繰り返し生成し、最終的に出力差信号を等価的に「０」にする設定データを生成する。
【００８１】
図２に示す出力差検出回路２４の場合、設定データ生成回路２５により生成される設定データに基づいて出力設定回路１５により各電流・電圧変換アンプ３，４，５，６のゲインを設定して第１差分信号｛（ａ＋ｂ）−（ｃ＋ｄ）｝を「０」にすると共に、第２差分信号｛（ａ＋ｄ）−（ｂ＋ｃ）｝を「０」にする各出力端子１１，１２，１３，１４から導出される各受光出力ａ，ｂ，ｃ，ｄを調整する。
【００８２】
第１差分信号｛（ａ＋ｂ）−（ｃ＋ｄ）｝を「０」にする場合、第１差分信号の極性が正であるとき、出力端子１３，１４から出力される受光出力ｃ，ｄの電圧レベルを上げるように電流・電圧変換アンプ５，６のゲインが上げられると共に、出力端子１１，１２から出力される受光出力ａ，ｂの電圧レベルを下げるように電流・電圧変換アンプ３，４のゲインが下げられ、かつ各出力端子１１，１２，１３，１４から出力される各受光出力ａ，ｂ，ｃ，ｄを合算した全光量に対応する総受光出力（ａ＋ｂ＋ｃ＋ｄ）を略一定に保持するべく各電流・電圧変換アンプ３，４，５，６のゲインが設定される。
【００８３】
第１差分信号の極性が負であるとき、出力端子１１，１２から出力される受光出力ａ，ｂの電圧レベルを上げるように電流・電圧変換アンプ３，４のゲインが上げられると共に、出力端子１３，１４から出力される受光出力ｃ，ｄの電圧レベルを下げるように電流・電圧変換アンプ５，６のゲインが下げられ、かつ各出力端子１１，１２，１３，１４から出力される各受光出力ａ，ｂ，ｃ，ｄを合算した全光量に対応する総受光出力（ａ＋ｂ＋ｃ＋ｄ）を略一定に保持するべく各電流・電圧変換アンプ３，４，５，６のゲインが設定される。
【００８４】
同様に、第２差分信号｛（ａ＋ｄ）−（ｂ＋ｃ）｝を「０」にする場合、第２差分信号の極性が正であるとき、出力端子１２，１３から出力される受光出力ｂ，ｃの電圧レベルを上げるように電流・電圧変換アンプ４，５のゲインが上げられると共に、出力端子１１，１４から出力される受光出力ａ，ｄの電圧レベルを下げるように電流・電圧変換アンプ３，６のゲインが下げられ、かつ各出力端子１１，１２，１３，１４から出力される各受光出力ａ，ｂ，ｃ，ｄを合算した全光量に対応する総受光出力（ａ＋ｂ＋ｃ＋ｄ）を略一定に保持するべく各電流・電圧変換アンプ３，４，５，６のゲインが設定される。
【００８５】
第２差分信号の極性が負であるとき、出力端子１１，１４から出力される受光出力ａ，ｄの電圧レベルを上げるように電流・電圧変換アンプ３，６のゲインが上げられると共に、出力端子１２，１３から出力される受光出力ｂ，ｃの電圧レベルを下げるように電流・電圧変換アンプ４，５のゲインが下げられ、かつ各出力端子１１，１２，１３，１４から出力される各受光出力ａ，ｂ，ｃ，ｄを合算した全光量に対応する総受光出力（ａ＋ｂ＋ｃ＋ｄ）を略一定に保持するべく各電流・電圧変換アンプ３，４，５，６のゲインが設定される。
【００８６】
出力差検出回路２４により演算される出力差信号が等価的に「０」になった時点において、出力設定回路１５が各電流・電圧変換アンプ３，４，５，６のゲインを設定する設定データをデータ書き込み制御回路２６によりフラッシュメモリ１６に書き込む。
【００８７】
フラッシュメモリ１６への設定データの書き込みは、光ピックアップ装置の工場出荷前であり、光ピックアップ装置の工場出荷時において、出力差検出回路２４、設定データ生成回路２５及びデータ書き込み制御回路２６は光ピックアップ装置から切り離されている。
【００８８】
フラッシュメモリ１６への設定データの書き込み後において、光ピックアップ装置に設けられた、モード端子２７ｄあるいは直接制御端子２７ａ、データ端子２７ｂ及びクロック端子２７ｃは、フラッシュメモリ１６の設定データが消失したり、設定データの誤差が増大した場合にフラッシュメモリ１６に新たに設定データを書き込んだり、フラッシュメモリ１６に記憶されている設定データを確認する際のサービス対応時に使用される。
【００８９】
尚、設定データを記憶させるメモリ回路としてはフラッシュメモリ１６に限定されるものではなく、ＥＥＰＲＯＭ（Electronically Erasable and Programmable Read Only Memory）やＲＡＭなどの設定データを電気的に書き込めるものであれば好ましい。
【００９０】
光ピックアップ装置をディスクドライブに搭載した状態において、ディスクドライブの電源投入に伴って光ピックアップ装置に電源電圧が印加されると、フラッシュメモリ１６に備えられる制御回路１７が動作し、フラッシュメモリ１６に記憶されている設定データが読み出され、この設定データはクロックと共に光検出器１に供給される。
【００９１】
その設定データは光検出器１内の入出力制御回路２８を介して出力設定回路１５に供給され、該出力設定回路１５は前記設定データに基づいて各電流・電圧変換アンプ３，４，５，６のゲインを設定する。
【００９２】
この結果、光検出器１の各出力端子１１，１２，１３，１４から出力される各受光出力の電圧差が解消されるようになり、受光領域２上での受光スポットのＹ方向及びＸ方向の偏倚による影響が解消されて光検出器１の各出力端子１１，１２，１３，１４からの各受光出力ａ，ｂ，ｃ，ｄが均等（均等と見なせる許容範囲内）になる。
【００９３】
ところで、前述に説明の光ピックアップ装置における光検出器の受光出力制御装置においては、直接制御端子２７ａを備えており、この直接制御端子２７ａに所定電圧信号を与えると共に、データ端子２７ｂに設定データを入力し、クロック端子２７ｃにデータ転送用クロックを入力することで設定データに基づく各電流・電圧変換アンプ３，４，５，６のゲインが設定される。その為、直接制御端子２７ａ、データ端子２７ｂ及びクロック端子２７ｃにそれぞれ供給する信号をディスクドライブ側から与えることによりディスクドライブ側からの制御により光検出器１の各出力端子１１，１２，１３，１４から出力される各受光出力ａ，ｂ，ｃ，ｄの補正が行える。
【００９４】
ところで、図１の光ピックアップ装置における光検出器の受光出力制御装置においては、設定データの入出力を支配的に制御する制御回路１７を半導体集積回路の作り易さの点からフラッシュメモリ１６に設けているが、これに限定されず、回路規模から光検出器１に備えても全く問題ない。
【００９５】
また、フォーカス制御に差動非点収差法を採用したり、トラッキング制御に差動プッシュプル法を採用する場合、メインビームの前後の各サブビームを受光する光検出器の各サブ受光領域Ａｓ１及びＡｓ２（図２参照）においても前述のメイン受光領域Ａｍの場合と同様にサブ受光領域Ａｓ１の各エレメントに対応する光検出器１の各出力端子から出力される各受光出力をそれぞれ均等にすると共に、サブ受光領域Ａｓ２の各エレメントに対応する光検出器１の各出力端子から出力される各受光出力をそれぞれ均等にすることが好ましい。このようにすることで、フォーカスエラー信号やトラッキングエラー信号の精度が向上する。
【００９６】
更に、図１の光ピックアップ装置における光検出器の受光出力制御装置においては、各電流・電圧変換アンプのゲインを設定することにより光検出器の各出力端子からそれぞれ出力される各受光出力を補正しているが、これに限らず各後段アンプのゲインを設定することにより達成しても好ましい。
【００９７】
また、図４に示す如く、受光領域の所定のセグメント４１から出力される受光出力を電流・電圧変換アンプ４２及び後段アンプ４３を介して出力端子４４に導出し、前記電流・電圧変換アンプ４２の出力をアッテネータ４５により減衰量を変化させるようにして光検出器の各出力端子からの各受光出力を補正することも好適である。図４の回路は、設定データに応じたクロックによって縦続接続される複数のＤ−ＦＦ（D type Flip Flop）４６ａ，４６ｂ…４６ｎによってスイッチ回路となる複数のＥＦＴ４７ａ，４７ｂ…４７ｎを制御してアッテネータ４５を構成する分圧抵抗４８ａ，４８ｂ…４８ｎの抵抗値を切り換えることにより減衰量を変化させており、Ｄ−ＦＦ４６ａ，４６ｂ…４６ｎ及びＥＦＴ４７ａ，４７ｂ…４７ｎが出力設定回路１５に相当することになる。
【符号の説明】
【００９８】
１        光検出器
２        受光領域
３，４，５，６        電流・電圧変換アンプ
７，８，９，１０        後段アンプ
１１，１２，１３，１４        出力端子
１５        出力設定回路
１６        フラッシュメモリ（メモリ回路）
１７        制御回路
２４        出力差検出回路
２５        設定データ生成回路
２６        データ書き込み制御回路
【図１】
2011181175.tif 000003
【図２】
2011181175.tif 000004
【図３】
2011181175.tif 000005
【図４】
2011181175.tif 000006